(57)【要約】【課題】光学式ピックアップより照射されるレーザー光によってディスクに信号を記録するように構成された光ディスク記録再生装置に関する。【解決手段】記録開始時メモリー回路１０に記憶されているオフセット値までオフセット量を変化させながらサーボ状態を検出し、オフセット量がオフセット値まで達する前にサーボ状態の異常により記録動作を正常に行うことが出来ない状態になったとき記録動作を中断させるとともにオフセット量を記録中断直前の量に戻して記録動作を再開させる【選択図】　　図１
2004030712.tif 000002
【特許請求の範囲】
【請求項１】
記録動作中に記録動作を正常に行うことが出来ない状況になると記録動作を一旦中断させるとともに記録動作を正常に行うことが出来る状況に復帰すると記録動作を中断させた位置より記録動作を開始させることが出来るように構成された光ディスク記録再生装置において、光学式ピックアップに組み込まれているとともにディスク面より反射される光が照射される光検出器と、該光検出器より得られるトラッキングエラー信号に基づいてトラッキング制御動作を行うトラッキングサーボ回路と、該トラッキングサーボ回路の制御信号にオフセット信号を付加するオフセット補正回路と、前記トラッキングサーボ回路のサーボ状態を検出するサーボ状態検出回路と、前もって設定されているオフセット値が記憶されているメモリー回路とより成り、記録開始時前記メモリー回路に記憶されているオフセット値までオフセット量を変化させながらサーボ状態を検出し、オフセット量がオフセット値まで達する前にサーボ状態の異常により記録動作を正常に行うことが出来ない状態になったとき記録動作を中断させるとともにオフセット量を記録中断直前の量に戻して記録動作を再開させるようにしたことを特徴とする光ディスク記録再生装置のピックアップ制御回路。
【請求項２】
記録動作中に記録動作を正常に行うことが出来ない状況になると記録動作を一旦中断させるとともに記録動作を正常に行うことが出来る状況に復帰すると記録動作を中断させた位置より記録動作を開始させることが出来るように構成された光ディスク記録再生装置において、光学式ピックアップに組み込まれているとともにディスク面より反射される光が照射される光検出器と、該光検出器より得られるフォーカスエラー信号に基づいてフォーカス制御動作を行うフォーカスサーボ回路と、該フォーカスサーボ回路の制御信号にオフセット信号を付加するオフセット補正回路と、前記フォーカスサーボ回路のサーボ状態を検出するサーボ状態検出回路と、前もって設定されているオフセット値が記憶されているメモリー回路とより成り、記録開始時前記メモリー回路に記憶されているオフセット値までオフセット量を変化させながらサーボ状態を検出し、オフセット量がオフセット値まで達する前にサーボ状態の異常により記録動作を正常に行うことが出来ない状態になったとき記録動作を中断させるとともにオフセット量を記録中断直前の量に戻して記録動作を再開させるようにしたことを特徴とする光ディスク記録再生装置のピックアップ制御回路。
【請求項３】
オフセット量の変化を段階的に行い、記録再開動作を記録中断動作が行われたオフセット量より一段低いオフセット量に戻して行うようにしたことを特徴とする請求項１または請求項２に記載のピックアップ制御回路。
【発明の詳細な説明】
【０００１】
【発明の属する技術分野】
本発明は、光学式ピックアップより照射される光ビームによりディスクに信号を記録するとともに該ディスクに記録されている信号の再生動作を行うように構成された光ディスク記録再生装置のピックアップ制御回路に関する。
【０００２】
【従来の技術】
光学式ピックアップから照射される光ビームを用いて光ディスクに信号を記録するように構成された光ディスク記録再生装置が商品化されている。斯かる光ディスク記録再生装置に使用される光ディスクには、ウォブル信号成分が含まれたプリグルーブと呼ばれる溝が形成されており、斯かるプリグルーブを用いて記録時における光ビームのトラッキング制御を行うとともにディスクの回転制御を行うように構成されている。
【０００３】
また、斯かる記録動作を行うことが出来る光ディスク記録再生装置において、記録動作中にサーボの異常等によって記録動作を正常に行うことが出来ない状況になると記録動作を一旦中断させ、その後記録動作を正常に行うことが出来る状況に復帰すると、記録動作を中断させた位置より記録動作を再開させることが出来るようにした技術が開発されている。
【０００４】
【発明が解決しようとする課題】
ディスクに信号を記録する光ディスク記録再生装置では、信号トラックに光ビームを追従させながら記録動作を行うためにトラッキングサーボ回路によるサーボ動作を行うように構成されている。斯かる光ディスク記録再生装置において、トラッキングサーボ回路によるサーボ動作を行う場合、光学式ピックアップに組み込まれている対物レンズの支持機構や光検出器の取り付け位置のバラツキに対応するためにサーボ信号にオフセット信号を付加することが一般に行われている。
【０００５】
斯かるオフセット信号のレベルは光ディスク記録再生装置の製造時に設定されてメモリー回路に記憶されており、記録動作を開始するときトラッキングサーボ信号に斯かるオフセット信号を付加するようにされている。記録動作を開始したときにオフセット信号を付加するとスピンドルモーターによるディスクの回転特性や光学式ピックアップの特性が悪い場合には、サーボ動作が破綻し記録動作を行うことが出来ないという問題が発生している。斯かる問題は、規定の記録速度に対して、１６倍や２０倍等の高速にて記録動作を行う場合に多く発生する傾向にある。
【０００６】
本発明は、斯かる問題を解決したピックアップ制御回路を提供しようとするものである。
【０００７】
【課題を解決するための手段】
本発明のピックアップ制御回路は、記録動作中に記録動作を正常に行うことが出来ない状況になると記録動作を一旦中断させるとともに記録動作を正常に行うことが出来る状況に復帰すると記録動作を中断させた位置より記録動作を開始させることが出来るように構成された光ディスク記録再生装置において、光学式ピックアップに組み込まれているとともにディスク面より反射される光が照射される光検出器と、該光検出器より得られるトラッキングエラー信号に基づいてトラッキング制御動作を行うトラッキングサーボ回路と、該トラッキングサーボ回路の制御信号にオフセット信号を付加するオフセット補正回路と、前記トラッキングサーボ回路のサーボ状態を検出するサーボ状態検出回路と、前もって設定されているオフセット値が記憶されているメモリー回路とより成り、記録開始時前記メモリー回路に記憶されているオフセット値までオフセット量を変化させながらサーボ状態を検出し、オフセット量がオフセット値まで達する前にサーボ状態の異常により記録動作を正常に行うことが出来ない状態になったとき記録動作を中断させるとともにオフセット量を記録中断直前の量に戻して記録動作を再開させるように構成されている。
【０００８】
【実施例】
図１に示した回路は、本発明のピックアップ制御回路の一実施例である。同図において、１は光学式ピックアップに組み込まれているとともにディスクの信号面より反射される光が照射される光検出器であり、Ａ部、Ｂ部、Ｃ部及びＤ部の４つの部分より構成されている。斯かる光検出器１において、Ａ部とＢ部との間の分割線の延びる方向がディスクに設けられているプリグルーブの接線方向と一致するように設定されている。
【０００９】
２は前記光検出器１を構成するＡ部及びＤ部より得られる信号が入力されるとともにそれらの信号を加算する第１加算回路、３は前記光検出器１を構成するＢ部及びＣ部より得られる信号が入力されるとともにそれらの信号を加算する第２加算回路である。４は前記第１加算回路２の出力信号及び前記第２加算回路３の出力信号が入力されるとともに両信号の差よりトラッキングエラー信号を出力する比較回路である。
【００１０】
５は光学式ピックアップに組み込まれている対物レンズであり、図示しないフォーカシングコイルによってディスク面の方向に変位せしめられるとともにトラッキングコイル６によってディスクの径方向に変位せしめられるように構成されている。７は前記比較回路４より出力されるトラッキングエラー信号に基づく信号を前記トラッキングコイル６に供給することによって対物レンズ５の位置を制御することによって光ビームをトラック上に追従照射させるトラッキングサーボ回路である。
【００１１】
８は前記トラッキングサーボ回路７のサーボ動作が正常に行われているか否かを検出するサーボ状態検出回路、９は光ディスク記録再生装置の各動作を制御するべく設けられている制御回路であり、前記トラッキングサーボ回路７の制御動作を行うとともに前記サーボ状態検出回路８より出力される検出信号に基づいて後述する各種の制御動作を行うように構成されている。
【００１２】
１０は前記制御回路８によって動作が制御されるメモリー回路であり、光ディスク記録再生装置の製造時に設定されたオフセット量を示すデータが記憶されるように構成されている。１１は前記メモリー回路１０に記憶されているデータに基づくオフセット補正をトラッキングサーボ回路７に対して行うオフセット補正回路である。
【００１３】
１２は前記制御回路９によって動作が制御されるとともにディスクへの信号の記録中断動作及び記録再開動作を制御する記録中断再開制御回路である。斯かる記録中断再開制御回路１２による記録中断再開動作を行う技術は一般に周知であるが、その動作について簡単に説明する。
【００１４】
パーソナルコンピューターより出力される記録信号は、光ディスク記録再生装置に組み込まれているバッファ用ＲＡＭに一旦記憶される。そして、ディスクへの記録動作は、前記バッファ用ＲＡＭに記憶されている記録信号を読み出し、読み出された記録信号をエンコード処理した後光学式ピックアップに供給することによってディスクへの記録動作が行われる。斯かる記録動作が行われている状態では、ディスクより得られる同期信号を利用してディスクを規定速度の１６倍等の線速度一定の状態にて回転駆動する動作や光学式ピックアップにおけるフォーカスサーボ動作及びトラッキングサーボ動作が行われた状態にある。
【００１５】
前述したように記録動作は行われるが、記録動作状態において、何等かの原因によって記録動作を正常に行うことが出来ない状況になると記録動作を一旦中断させる動作が行われる。斯かる動作が行われると、バッファ用ＲＡＭへの信号の書き込み動作及び該ＲＡＭからの読み出し動作が行われなくなるとともに光学式ピックアップによるディスクへの記録動作も行われなくなる。
【００１６】
記録動作を中断させるための動作は、光学式ピックアップのサーボ動作やディスクを回転駆動するスピンドルモーターのサーボ動作が正常に行われているか否かを検出することによって行うことが出来る。また、記録動作の中断が行われたとき、中断直前に記録された信号のアドレス及びバッファ用ＲＡＭから記録するために読み出された最終メモリーアドレスが制御回路９内に組み込まれているメモリーに記憶される動作が行われる。
【００１７】
記録動作の中断動作が行われた後、サーボ動作を正常に行うことが出来る状態に復帰すると記録動作を再開させるための制御動作が開始される。斯かる動作は、まず光学式ピックアップの位置をメモリーに記憶されている記録中断位置を示すアドレスに基づいて中断位置より後退した位置に移動させるとともにその位置より再生動作を開始させる。即ち、記録中断前に記録された信号の読み出し動作を行い、その読み出された信号から同期信号を抽出する動作及びその同期信号と記録動作を行うためのクロックである記録用同期信号とを同期させるための処理動作が行われる。
【００１８】
前述した同期処理動作によって記録されている信号より得られる同期信号と記録用同期信号との同期がとれ、且つ光学式ピックアップの位置が記録中断位置に達すると、ディスクへの記録動作を行う状態に切り換えるとともにバッファ用ＲＡＭに書き込まれている記録信号、即ち記録中断時に読み出されて記録された信号に続く記録信号を記憶されている最終メモリーアドレスに基づいて読み出してエンコード処理を開始する。斯かる動作が行われる結果、記録動作を中断した位置より記録動作を再開させることが出来るとともに記録中断前記録された信号と記録再開後の信号とが連続するように記録することが出来る。
【００１９】
以上に説明したように記録中断再開動作は行われるが、次に本発明の要旨について説明する。本発明は、記録動作が開始されるときオフセット補正回路１１よりトラッキングサーボ回路７の制御信号に対して付加するオフセット量を零からメモリー回路１０に記憶されているオフセット値まで徐々に上昇させるとともにその間サーボ状態検出回路８によるサーボ状態の検出動作を行う。
【００２０】
前述したようにオフセット量を上昇させながら記録動作が行われるが、オフセット量がメモリー回路１０に記憶されているオフセット値まで上昇してもサーボ状態が異常にならない場合には、該オフセット値が記録動作を行うために適したオフセット値として判断されるのでそのオフセット値に基づくオフセット信号をトラッキングサーボ回路７の制御信号に付加した状態で記録動作を行うことになる。斯かる記録動作は、光ディスク記録再生装置の製造時に設定されたオフセット値が記録動作を行うために適したオフセット値であり、光学式ピックアップ等の機械特性にバラツキが少ない場合に行われる。
【００２１】
光学式ピックアップ等の機械特性にバラツキが少ない場合には、前述したようにメモリー回路１０に記憶されているオフセット値に基づくオフセット信号をトラッキングサーボ回路７の制御信号に付加して記録動作が行われるが、次に光学式ピックアップ等の機械特性にバラツキがあり、メモリー回路１０に記憶されているオフセット値が適していない場合の動作について説明する。
【００２２】
記録動作が開始されると、前述したようにオフセット補正回路１１よりトラッキングサーボ回路７の制御信号に付加されるオフセット信号の量を零からメモリー回路１０に記憶されているオフセット値まで上昇させる動作及びその動作が行われているときのサーボ状態の検出動作が行われるが、この場合には、オフセット補正回路１１よりトラッキングサーボ回路７の制御信号に付加されるオフセット信号の量がメモリー回路１０に記憶されているオフセット値まで上昇する前にトラッキングサーボが異常となり記録動作を正常に行うことが出来ない状況になる。
【００２３】
記録動作を正常に行うことが出来ない状況になると、制御回路９による記録中断再開制御回路１２に対する制御動作が行われ、光ディスク記録再生装置の記録動作を一旦中断させるための動作が行われる。斯かる動作が行われた場合、オフセット補正回路１１よりトラッキングサーボ回路７に付加していたオフセット量は制御回路９によって認識されている。斯かる記録動作の中断動作が行われると、前述したような中断のための動作が行われるが、この場合には、オフセット補正回路１１よりトラッキングサーボ回路７に付加していたオフセット量を所定量低下させる動作を行うとともに記録動作を再開させるための制御動作を行う。
【００２４】
オフセット補正回路１１よりトラッキングサーボ回路７に付加していたオフセット量を所定量低下させると、そのオフセット量ではトラッキングサーボが正常になるため、前述した記録再開のための制御動作を行えば記録動作を正常に行うことが出来る。斯かる記録動作時におけるオフセット信号の量は、光学式ピックアップ等の機械特性にバラツキがあってもそのバラツキに対応したオフセット量になるため、記録動作を正確に行うことが出来る。
【００２５】
本実施例では、光学式ピックアップのトラッキングサーボ回路７にオフセット信号を付加する場合について説明したが、フォーカスサーボ回路にオフセット信号を付加する場合にも同様の動作を行うことが出来る。また、オフセット補正回路１１より出力されるオフセット信号のレベルを零からメモリー回路１０に記憶されているオフセット値まで上昇させる動作を連続的に行うことが出来るが、段階的に上昇させるように構成すると、記録中断再開時のオフセット量を一段下げるという制御動作を行えば良く制御動作を簡単に行うことが出来る。
【００２６】
【発明の効果】
本発明は、記録開始時メモリー回路に記憶されているオフセット値までオフセット量を変化させながらサーボ状態を検出し、オフセット量がオフセット値まで達する前にサーボ状態の異常により記録動作を正常に行うことが出来ない状態になったとき記録動作を中断させるとともにオフセット量を記録中断直前の量に戻して記録動作を再開させるようにしたので、光学式ピックアップ等の機械特性にバラツキがあってもそのバラツキに対応したオフセット量をサーボ回路の制御信号に付加させることが出来るので、記録動作を正常に行うことが出来る。
【００２７】
また、本発明は、オフセット補正回路より出力されるオフセット信号のレベルを零からメモリー回路に記憶されているオフセット値まで上昇させる動作を段階的に行うようにしたので、記録中断再開時のオフセット量を一段下げるという簡単な制御動作動作を行うことによって記録動作を再開させることが出来る。
【図面の簡単な説明】
【図１】本発明のピックアップ制御回路の一実施例である。
【符号の説明】
１　　　　光検出器
６　　　　トラッキングコイル
７　　　　トラッキングサーボ回路
８　　　　サーボ状態検出回路
９　　　　制御回路
１０　　　　メモリー回路
１１　　　　オフセット補正回路
１２　　　　記録中断再開制御回路
【図１】
2004030712.tif 000003